(57)【要約】【課題】本体の大きさに違いがあっても、梱包部材の共用化を図ることができ、部品点数を少なくして製造コストの削減ができるセントラル換気扇の梱包装置を提供することを目的とする。【解決手段】セントラル換気扇は、アダプター５を設けた側面４ａ、４ｂの幅に相当する本体ケース４の幅寸法Ｗが同一で、側面４ａ、４ｂ間の距離に相当する本体ケース４の横寸法Ｌが異なる複数の機種を備え、本体１を収納する外箱８と、本体ケース４の側面４ａ、４ｂの下端角部が挿入される凹部９ａを形成し、外箱８の両側下端部のそれぞれに配置される下部緩衝体９と、本体ケース４の上面側に配置される上部緩衝体１０とからなることにより、下部緩衝体９の共用化ができて、コスト削減が可能となる。【選択図】図１
2010112623.tif 000002
【特許請求の範囲】
【請求項１】
本体ケースの対向する両側面に、排気口および複数の吸込口を形成し、前記排気口および吸込口と室内または室外に連通配管されるダクトとを連通接続するアダプターを設け、前記本体ケースの内部に前記排気口および吸込口に連通する送風機を設けたセントラル換気扇の梱包装置であって、前記セントラル換気扇は、前記アダプターを設けた側面の幅に相当する前記本体ケースの幅寸法が同一で、前記側面間の距離に相当する前記本体ケースの横寸法が異なる複数の機種を備え、前記セントラル換気扇を収納する外箱と、前記本体ケースの前記側面の下端角部が挿入される凹部を形成し、前記外箱の両側下端部のそれぞれに配置される下部緩衝体と、前記本体ケースの上面側に配置される上部緩衝体とからなることを特徴とするセントラル換気扇の梱包装置。
【請求項２】
下部緩衝体は、段ボールからなる四角形の板材に、その一側端部側に開口し本体ケースの幅寸法より若干大きい幅の長方形の切欠きを形成し、中央部に前記長方形の切欠きとほぼ同じ大きさの開口を形成し、前記板材を前記切欠きが前記開口に重なるように折り重ね、さらに、前記開口の縁部に折り線を位置させて同じ方向に折り重ね、前記切欠きと開口が重なって形成される凹部を前記本体ケースの下端角部が挿入される凹部とした請求項１記載のセントラル換気扇の梱包装置。
【請求項３】
上部緩衝体は、段ボールからなる四角形の板材を角筒状に折曲形成し、一折曲角部において、本体ケースの幅寸法で両側方に形成された切込みにより内側に折曲して、前記本体ケースのアダプターを設けた側面の上端部を受ける側面側受面と、前記本体ケースの上面の側端部を受ける上面側受面とを形成してなる請求項１または２記載のセントラル換気扇の梱包装置。
【請求項４】
上部緩衝体を外箱の両側上端部のそれぞれに配置した請求項３記載のセントラル換気扇の梱包装置。
【請求項５】
１枚の板材の左右側方に上部緩衝体を一体に形成した請求項３記載のセントラル換気扇の梱包装置。
【請求項６】
上部緩衝体の側面側受面から上面にかけてアダプターが入る大きさのアダプター回避開口を形成した請求項３〜５のいずれかに記載のセントラル換気扇の梱包装置。
【請求項７】
上部緩衝体に、付属するリモコンを上面から内側に収納する開口を形成した請求項３〜６のいずれかに記載のセントラル換気扇の梱包装置。
【発明の詳細な説明】
【技術分野】
【０００１】
本発明は、天井裏へ設置され、本体内部に設けた送風機によって建物の複数の室の換気をするセントラル換気扇の梱包装置に関するものである。
【背景技術】
【０００２】
従来の天井裏に設置される機器の梱包装置の一例として、本体から突設された吊下げ金具によって天井から吊下げられる空気調和装置の本体の下面、側面および上面のそれぞれを保護する梱包体を備え、この梱包体で本体を覆って、バンドにより止めるものが知られている（例えば、特許文献１参照）。
【０００３】
特許文献１に記載の空気調和装置の梱包装置は、本体を支持する基台と、本体の上面および本体の一対の側面を覆うカバー部材と、吊下げ金具が突設された他の一対の側面をそれぞれ覆うとともに、吊下げ金具が収納されるボックス形状の側面部材とを備えた梱包体からなる。  また、側面部材には、その強度を補強するために、その箱型の内側に、段ボール紙を折った補強紙が配置されている。
【０００４】
そして、梱包時には、基台の上に本体を載置し、次に本体の前記他の一対の側面に側面部材をあてて覆い、続いてカバー部材を本体の上方から被せるようにして、前記一対の側面を覆って合わせ、ポリプロピレンバンドにて止める。
【特許文献１】特開平７−１５１３４３号公報
【発明の開示】
【発明が解決しようとする課題】
【０００５】
このような従来の空気調和装置の梱包装置では、本体の大きさの違いにより、本体を支持する基台を共用することができず、また、本体の前記対向する他の一対の側面のそれぞれに側面部材を装着した状態で、本体を覆うカバー部材を取り付けるため、梱包作業の工数が多くなるとともに、部品点数も多くなるという課題がある。
【０００６】
本発明は、このような従来の課題を解決するものであり、梱包する対象となる本体の大きさに違いがあっても、緩衝体の共用化を図るとともに、部品点数を少なくして、製造コストの削減ができるセントラル換気扇の梱包装置を提供することを目的とする。
【課題を解決するための手段】
【０００７】
本発明のセントラル換気扇の梱包装置は、上記目的を達成するために、本体ケースの対向する両側面に、排気口および複数の吸込口を形成し、前記排気口および吸込口と室内または室外に連通配管されるダクトとを連通接続するアダプターを設け、前記本体ケースの内部に前記排気口および吸込口に連通する送風機を設けたセントラル換気扇の梱包装置であって、前記セントラル換気扇は、前記アダプターを設けた側面の幅に相当する前記本体ケースの幅寸法が同一で、前記側面間の距離に相当する前記本体ケースの横寸法が異なる複数の機種を備え、前記セントラル換気扇を収納する外箱と、前記本体ケースの前記側面の下端角部が挿入される凹部を形成し、前記外箱の両側下端部のそれぞれに配置される下部緩衝体と、前記本体ケースの上面側に配置される上部緩衝体とからなるものである。
【０００８】
また、他の手段は、下部緩衝体は、段ボールからなる四角形の板材に、その一側端部側に開口し本体ケースの幅寸法より若干大きい幅の長方形の切欠きを形成し、中央部に前記長方形の切欠きとほぼ同じ大きさの開口を形成し、前記板材を前記切欠きが前記開口に重なるように折り重ね、さらに、前記開口の縁部に折り線を位置させて同じ方向に折り重ね、前記切欠きと開口が重なって形成される凹部を前記本体ケースの下端角部が挿入される凹部としたものである。
【０００９】
また、他の手段は、上部緩衝体は、段ボールからなる四角形の板材を角筒状に折曲形成し、一折曲角部において、本体ケースの幅寸法で両側方に形成された切込みにより内側に折曲して、前記本体ケースのアダプターを設けた側面の上端部を受ける側面側受面と、前記本体ケースの上面の側端部を受ける上面側受面とを形成してなるものである。
【００１０】
また、他の手段は、上部緩衝体を外箱の両側上端部のそれぞれに配置したものである。
【００１１】
また、他の手段は、１枚の板材の左右側方に上部緩衝体を一体に形成したものである。
【００１２】
また、他の手段は、上部緩衝体の側面側受面から上面にかけてアダプターが入る大きさのアダプター回避開口を形成したものである。
【００１３】
また、他の手段は、上部緩衝体に、付属するリモコンを上面から内側に収納する開口を形成したものである。
【発明の効果】
【００１４】
本発明によれば、セントラル換気扇は、ダクトと連通接続するアダプターを設けた側面の幅に相当する本体ケースの幅寸法が同一で、側面間の距離に相当する本体ケースの横寸法が異なる複数の機種を備え、セントラル換気扇を収納する外箱と、本体ケースの側面の下端角部が挿入される凹部を形成し、外箱の両側下端部のそれぞれに配置される下部緩衝体と、本体ケースの上面側に配置される上部緩衝体とからなることにより、梱包の部品点数が少なく、かつ、下部緩衝体の共用化によって、コスト削減が可能となるという効果のあるセントラル換気扇の梱包装置を提供することができる。
【００１５】
また、下部緩衝体は、段ボールからなる四角形の板材に、その一側端部側に開口し本体ケースの幅寸法より若干大きい幅の長方形の切欠きを形成し、中央部に長方形の切欠きとほぼ同じ大きさの開口を形成し、板材を切欠きが開口に重なるように折り重ね、さらに、開口の縁部に折り線を位置させて同じ方向に折り重ね、切欠きと開口が重なって形成される凹部を本体ケースの下端角部が挿入される凹部としたことにより、下部緩衝体を少ない材料で、かつ少ない工数で作成することができ、コストの削減をさらに図ることができる。
【００１６】
また、上部緩衝体は、段ボールからなる四角形の板材を角筒状に折曲形成し、一折曲角部において、本体ケースの幅寸法で両側方に形成された切込みにより内側に折曲して、本体ケースのアダプターを設けた側面の上端部を受ける側面側受面と、本体ケースの上面の側端部を受ける上面側受面とを形成してなることにより、上部緩衝体においても、コストの削減を図ることができる。
【００１７】
また、上部緩衝体を外箱の両側上端部のそれぞれに配置したことにより、上部緩衝体においても共用化を図ることができ、コスト削減が可能となる。
【００１８】
また、１枚の板材の左右側方に上記の上部緩衝体を一体に形成したことにより、上部緩衝体の本体ケースへの取付作業が、安定して容易にできることとなる。
【００１９】
また、上部緩衝体の側面側受面から上面にかけてアダプターが入る大きさのアダプター回避開口を形成したことにより、上部緩衝体でアダプターの保護もできるとともに、アダプター回避開口を形成することによって、側面側受面と上面側受面を設けるための内側への折曲が容易となり、上部緩衝体の加工性が向上する。
【００２０】
また、上部緩衝体に、付属するリモコンを上面から内側に収納する開口を形成したことにより、上部収納体を有効利用するとともに、リモコンの見落としによる廃棄を防止できる。
【発明を実施するための最良の形態】
【００２１】
本発明の請求項１記載のセントラル換気扇の梱包装置は、セントラル換気扇は、アダプターを設けた側面の幅に相当する本体ケースの幅寸法が同一で、前記側面間の距離に相当する前記本体ケースの横寸法が異なる複数の機種を備え、前記セントラル換気扇を収納する外箱と、前記本体ケースの前記側面の下端角部が挿入される凹部を形成し、前記外箱の両側下端部のそれぞれに配置される下部緩衝体と、前記本体ケースの上面側に配置される上部緩衝体とからなるものであり、２×４住宅の天井裏に設置され、本体ケースの幅寸法が一定に構成されるセントラル換気扇の梱包装置にあって、本体ケースの幅寸法をなす左右側面の下端角部を挿入して緩衝する下部緩衝体を採用することにより、この梱包部材は本体ケースの横寸法が異なる複数の機種に対して１種類でよく、部品の共用化を図ることができる。
【００２２】
また、請求項２記載のセントラル換気扇の梱包装置は、下部緩衝体は、段ボールからなる四角形の板材に、その一側端部側に開口し本体ケースの幅寸法より若干大きい幅の長方形の切欠きを形成し、中央部に前記長方形の切欠きとほぼ同じ大きさの開口を形成し、前記板材を前記切欠きが前記開口に重なるように折り重ね、さらに、前記開口の縁部に折り線を位置させて同じ方向に折り重ね、前記切欠きと開口が重なって形成される凹部を前記本体ケースの下端角部が挿入される凹部としたものであり、下部緩衝体は、１枚の段ボールからなる板材を同じ方向に２回折り重ねるだけで作成することができる。
【００２３】
また、請求項３記載のセントラル換気扇の梱包装置は、上部緩衝体は、段ボールからなる四角形の板材を角筒状に折曲形成し、一折曲角部において、本体ケースの幅寸法で両側方に形成された切込みにより内側に折曲して、前記本体ケースのアダプターを設けた側面の上端部を受ける側面側受面と、前記本体ケースの上面の側端部を受ける上面側受面とを形成してなるものであり、簡単な構成の上部緩衝体によって、本体ケースの前後方向、左右方向、上方向の各方向の保護をすることができる。
【００２４】
また、請求項４記載のセントラル換気扇の梱包装置は、上部緩衝体を外箱の両側上端部のそれぞれに配置したものであり、上部緩衝体においても、本体ケースの横寸法が異なる複数の機種に対して、部品の共有化を図ることができる。
【００２５】
また、請求項５記載のセントラル換気扇の梱包装置は、１枚の板材の左右側方に上記構成の上部緩衝体を一体に形成したものであり、左右に配設される上部緩衝体どうしの間隔が一定となり、本体ケースへの取付作業が安定してできる。
【００２６】
また、請求項６記載のセントラル換気扇の梱包装置は、上部緩衝体の側面側受面から上面にかけてアダプターが入る大きさのアダプター回避開口を形成したものであり、上部緩衝体取付時に本体ケースの側面から突出したアダプターを回避するとともに、アダプターの保護をする。
【００２７】
また、請求項７記載のセントラル換気扇の梱包装置は、上部緩衝体に、付属するリモコンを上面から内側に収納する開口を形成したものであり、リモコンを収納するための梱包部材を別途備えることなく上部緩衝体に収納でき、また、開梱時にリモコンの存在に気づきやすくなる。
【００２８】
以下、本発明の実施の形態について、図１〜図５を参照しながら説明する。
【００２９】
（実施の形態１）
セントラル換気扇の本体１は天井に設けられた点検口（図示せず）の上方に設置され、前記点検口を開けて、本体１のメンテナンス等を行うことができる。
【００３０】
図１に示すように、本体１の重要部を形成している本体ケース４は、一つの側面４ａに複数の吸込口２を有し、さらに対向する側面４ｂに吸込口２と排気口３を有し、吸込口２と排気口３は室内またな室外に連通配管されるダクト（図示せず）をアダプター５を介して接続することによって、吸込口２は遠方の天井までダクトを伸ばして換気空間を拡大することができ、排気口３はダクトを介して、本体ケース４内の送風機（図示せず）により取り込んだ空気を室外空間へ排気することができる。さらに、複数の吸込口２を有する側面４ａだけでなく排気口３を有する側面４ｂにも吸込口２を設けることによって、ダクトを天井裏に引き回す際に、ダクト長の短縮を図ることができ、また、複数の吸込口２の内、使用する口数に応じて最適なダクト施工を選択することができる。
【００３１】
セントラル換気扇は、天井裏へ設置されるため、２×４住宅等においては天井裏空間に板が等間隔で並び、その間隔が狭いため、本体ケース４の側面４ａ、４ｂの幅に相当する幅寸法Ｗに制約を受け、幅寸法Ｗはコンパクトでなければならない。ただし、必要な換気風量は住宅により異なるため、換気風量を満足させて、かつ、騒音値を低減させるには、換気風量に応じて本体ケース４を最適な大きさにする必要があり、本体ケース４の対向する側面４ａと側面４ｂの間の距離に相当する横寸法Ｌを変更する必要がある。本発明における本体ケース４は、幅寸法Ｗが同一であり、また、天井裏へ設置するにあたっての本体ケース４の高さ寸法Ｈも同じであるが、換気風量の違いによって横寸法Ｌが異なる複数の機種を構成するものである。
【００３２】
また、ボリュームを周方向に回すことによって、送風機の風量を連続的に可変することができるリモコン６を付属し、リモコン６は、ケーブル（図示せず）を介し、本体ケース４に固定されている入力電源用の電源端子を含む制御回路基板を樹脂ケースで覆った制御ユニット７に設けられたコネクターに、係脱自在に導通接続される。
【００３３】
そして、本体１の梱包部材は、本体ケース４を収納する外箱８と、本体ケース４の側面４ａ、４ｂの下端角部が挿入される凹部９ａを形成し、外箱８の両側下端部のそれぞれに配置される下部緩衝体９と、本体ケース４の上面側に配置される上部緩衝体１０とからなる。
【００３４】
下部緩衝体９は、図２に示すように、段ボールからなる四角形の板材１３に、その一側端部側に開口し本体ケース４の幅寸法Ｗより若干大きい幅の長方形の切欠き１１を形成し、中央部に長方形の切欠き１１とほぼ同じ大きさの開口１２を形成し、板材１３を切欠き１１が開口１２に重なるように折り重ね、さらに、開口１２の縁部に折り線Ｂを位置させて同じ方向に折り重ね、切欠き１１と開口１２が重なって形成される凹部を本体ケース４の下端角部が挿入される凹部９ａとしている。
【００３５】
上記のように、下部緩衝体９は、一枚の段ボールからなる板材１３を同じ方向に２回折り重ねるだけで作成することができ、作業性も良く、少ない工数で作成することができるため、コストの削減を図ることができる。また、下部緩衝体９は本体ケース４の横寸法Ｌが異なる複数の機種に対しても部品の共用化を図ることができ、かつ、両側下端部に配置する下部緩衝体９を共用することができる。
【００３６】
上部緩衝体１０は、図３に示すように、段ボールからなる四角形の板材を角筒状に折曲形成し、一折曲角部において、本体ケース４の幅寸法Ｗで両側方に形成された切込みＣにより内側に折曲して、本体ケース４のアダプター５を設けた側面４ａ、４ｂの上端部を受ける側面側受面１４と、本体ケース４の上面の側端部を受ける上面側受面１５とを形成している。また、上部緩衝体１０は外箱８の両側上端部へそれぞれ別個に配置することによって、下部緩衝体９と同様に、横寸法Ｌの異なる複数の機種に対しても部品の共用化を図ることができる。
【００３７】
さらに、上部緩衝体１０の側面側受面１４から上面にかけてアダプター５が入る大きさのアダプター回避開口１６を形成している。
【００３８】
上記のように、段ボールからなる板材を角筒状に折曲形成するという簡単な構成の上部緩衝体１０によって、本体ケース４の前後方向、左右方向、上下方向の各方向の保護を行うことができ、アダプター回避開口１６により、上部緩衝体１０取付け時に本体ケース４の側面４ａ、４ｂから突出したアダプター５を回避するとともに、アダプター５の保護をすることができ、さらに、角筒状に折曲形成する上部緩衝体１０において、側面側受面１４と上面側受面１５を形成する際、角筒の内側へ折り返す作業工程で、折り目部分がアダプター回避開口１６により減少するため、折り曲げが容易となり、上部緩衝体１０の加工性が向上する。
【００３９】
また、図４に示すように、上部緩衝体１０は角筒状に形成されるため、内部には空間が存在する。そこで、上部緩衝体１０の上面に四角形の折返し１７を設け、梱包状態において折返し１７を下方へ９０°曲げた状態で固定することにより、付属するリモコン６を上面から内側に収納する収納開口１８として形成する。
【００４０】
上記のように、リモコンを収納するための梱包部材を別途備えることなく、上部緩衝体１０に収納できるため、上部緩衝体１０に形成される空間を有効に利用することができるとともに、開梱時に上部緩衝体１０に開いた収納開口１８を確認できるため、リモコン６の存在を容易に確認することができ、リモコン６の見落としによる廃棄を防止することができる。
【００４１】
（実施の形態２）
本発明の実施の形態２のセントラル換気扇の梱包装置は、上記実施の形態１の梱包装置に対し、上部緩衝体１０に相当する構成の上部緩衝部２０を、１枚の段ボールからなる板材１９の左右側方に一体に設けて上部緩衝体１０Ａを形成した点に特徴がある。
【００４２】
上記構成により、上部緩衝体１０Ａを本体ケース４に装着する前から左右に配設される上部緩衝部２０どうしの間隔が一定となった状態で梱包作業をすることができるため、本体ケース４への取付け作業が安定して容易にできることとなる。
【産業上の利用可能性】
【００４３】
本発明に係るセントラル換気扇の梱包装置は、幅寸法が一定に構成される本体ケースの幅寸法をなす側面の下端角部を挿入して緩衝する下部緩衝体を採用することにより、横寸法の異なる複数の機種に共用化でき、コスト削減が可能となり、２×４住宅等の天井裏に設置され、本体ケースの幅寸法に制約を受ける換気装置に有用である。
【図面の簡単な説明】
【００４４】
【図１】本発明の実施の形態１におけるセントラル換気扇の梱包装置の梱包形態図
【図２】同梱包装置の下部緩衝体の斜視図
【図３】同梱包装置の上部緩衝体の下方からの斜視図
【図４】同梱包装置の上部緩衝体の上方からの斜視図
【図５】本発明の実施の形態２におけるセントラル換気扇の梱包装置の上部緩衝体の斜視図
【符号の説明】
【００４５】
２      吸込口
３      排気口
４      本体ケース
４ａ    側面
４ｂ    側面
５      アダプター
６      リモコン
８      外箱
９      下部緩衝体
９ａ    凹部
１０    上部緩衝体
１０Ａ  上部緩衝体
１１    切欠き
１２    開口
１３    板材
１４    側面側受面
１５    上面側受面
１６    アダプター回避開口
１８    収納開口
１９    板材
Ｂ      折り線
Ｃ      切込み
Ｌ      横寸法
Ｗ      幅寸法
【図１】
2010112623.tif 000003
【図２】
2010112623.tif 000004
【図３】
2010112623.tif 000005
【図４】
2010112623.tif 000006
【図５】
2010112623.tif 000007